(57)【特許請求の範囲】
【請求項１】
ディスクに情報を記録及び／または記録された情報を再生するディスクプレーヤにおいて、
ディスクのトラックに沿って形成された屈曲パターンに対応するウォブル信号を検出するウォブル検出部と、
該ウォブル検出部から出力されるウォブル信号のエッジ毎にリセットされ、該ウォブル信号を所定倍数逓倍したクロック信号によって計数される計数値が、下降エッジに同期させリセットされた後に予め設定された値に達した時に、所定のパルス幅を有したウィンドウ信号を生成し、該ウィンドウ信号の有効期間中に、プリピット信号を検出し、検出されたプリピット信号に応じて前記ディスクに記録された情報または記録する情報を処理する情報処理部とを備えることを特徴とするディスクプレーヤ。
【請求項２】
前記情報処理部は、
前記ディスクからピックアップされた再生信号をデジタル信号に変換する再生信号処理部と、
前記ウィンドウ信号の有効期間中に、前記再生信号処理部から出力されるデータをピックアップし、ピックアップされたデータの相関関係からピックアップされたデータを補正する信号調整部とを備えることを特徴とする請求項１に記載のディスクプレーヤ。
【請求項３】
前記信号調整部は、前記ウィンドウ信号の有効期間中に、前記再生信号処理部から出力される信号をピックアップして出力するデータ検出部と、
該データ検出部から出力されるデータを入力し、入力したデータから同期信号を検出して出力する同期検出部と、
該同期検出部から出力される同期信号が設定された回数ほど正常に発生されれば同期ロック信号を出力する同期保護処理部と、
該同期ロック信号に応じて前記データ検出部から出力される値に対応するアドレス情報を調整する相関アドレス調整部と
を備えることを特徴とする請求項２に記載のディスクプレーヤ。
【請求項４】
前記信号調整部は、前記データ検出部から出力される信号をデコーディングして前記相関アドレス調整部に出力するデータ変換部と、
前記相関アドレス調整部から出力されるアドレス情報に基づき前記データ変換部から出力されるデータを記録フォーマットに適するよう処理して出力するデータ処理部と
をさらに備えることを特徴とする請求項３に記載のディスクプレーヤ。
【請求項５】
前記データ変換部は、３個のビットで形成されるコードを対応する一つのビットに出力するようになることを特徴とする請求項４に記載のディスクプレーヤ。
【請求項６】
前記同期保護処理部は、同期信号が２回正常に入力されれば同期ロック信号を発生させることを特徴とする請求項４に記載のディスクプレーヤ。
【請求項７】
前記相関アドレス調整部は、前記同期ロック信号が維持された状態では検出されたアドレス値が設定された増加パターンに従うように調整処理することを特徴とする請求項６に記載のディスクプレーヤ。
【発明の詳細な説明】
【０００１】
【発明の属する技術分野】
本発明はディスクプレーヤに係り、さらに詳しくはディスクに記録されたプリピットデータを正確に検出できるよう処理するディスクプレーヤに関する。
【０００２】
【従来の技術】
光記録媒体(以下、ディスクと称する)は再生専用のＣＤ-ＲＯＭ、ＤＶＤ-ＲＯＭと、１回記録可能なＣＤ-Ｒ、ＤＶＤ-Ｒ及び再記録自在なＣＤ-ＲＷ、ＤＶＤ-ＲＷなどがある。
現在ＤＶＤ-Ｒ、ＤＶＤ-ＲＷディスクは多数のセクターより区分されており、セクターはユーザのデータを記録するためのデータ領域と位置情報が記録された識別部(ＩＤ)よりなされている。また、ディスクのトラックに沿って形成されたランドとグルーブは曲がりくねる形態に形成されている。このようなディスクに情報を記録またはディスクに記録された情報を再生するプレーヤはディスクのトラックに照射してピックアップされた光から曲がりくねる形態に対応するウォブル信号を生成できる。そして、このウォブル信号を用いてピックアップされた光に収録されたデータの検出を同期させる。
【０００３】
ところが、データ判読のために用いられるクロック信号の変動、スピンドルモータの回転数変動、ディスクの偏心率による線速度の変動などの影響により識別部領域に記録されたプリピット信号を精密に検出できなければデータ記録または再生エラーを発生させる。
【０００４】
【発明が解決しようとする課題】
本発明は前述したような問題点を改善するために案出されたもので、ディスクに記録されたプリピット信号を精密に検出してデータ記録または再生エラーを低減させうるディスクプレーヤを提供するところにある。
【０００５】
【課題を解決するための手段】
前述した目的を達成するために本発明に係るディスクプレーヤは、ディスクに情報を記録及び／または記録された情報を再生するディスクプレーヤにおいて、ディスクのトラックに沿って形成された屈曲パターンに対応するウォブル信号を検出するウォブル検出部と、該ウォブル検出部から出力されるウォブル信号のエッジ毎にリセットされ、該ウォブル信号を所定倍数逓倍したクロック信号によって計数される計数値が、下降エッジに同期させリセットされた後に予め設定された値に達した時に、所定のパルス幅を有したウィンドウ信号を生成し、該ウィンドウ信号の有効期間中に、プリピット信号を検出し、検出されたプリピット信号に応じて前記ディスクに記録された情報または記録する情報を処理する情報処理部とを備える。
【０００６】
望ましくは、前記情報処理部は前記ディスクからピックアップされた再生信号をデジタル信号に変換する再生信号処理部と、前記ウィンドウ信号の有効期間中に、前記再生信号処理部から出力されるデータをピックアップし、ピックアップされたデータの相関関係からピックアップされたデータを補正する信号調整部とを備える。
【０００７】
前記信号調整部は、前記ウィンドウ信号の有効期間中に、前記再生信号処理部から出力される信号をピックアップして出力するデータ検出部と、該データ検出部から出力されるデータから同期信号を検出する同期検出部と、該同期検出部から出力される同期信号が設定された回数ほど正常に発生されれば同期ロック信号を出力する同期保護処理部と、該同期ロック信号に応じて前記データ検出部から出力される値に対応するアドレス情報を調整する相関アドレス調整部とを備える。
【０００８】
また、前記信号調整部は前記データ検出部から出力される信号をデコーディングして前記相関アドレス調整部に出力するデータ変換部と、前記相関アドレス調整部から出力されるアドレス情報に基づき前記データ変換部から出力されるデータを記録フォーマットに適するよう処理して出力するデータ処理部とをさらに備える。
【０００９】
前記データ変換部は、３個のビットで形成されるコードを対応する一つのビットとして出力する。
前記相関アドレス調整部は、前記同期ロック信号が維持された状態では検出されたアドレス値が設定された増加パターンに従うよう調整処理する。
【００１０】
【発明の実施の形態】
以下、添付した図面に基づき本発明の望ましい実施形態によるディスクプレーヤをさらに詳述する。
図１は本発明に係るディスクプレーヤを示したブロック図である。
図面を参照すれば、ディスクプレーヤは光ピックアップ１１、サーボ制御部１５、光源駆動部１７、情報処理部２０、システム処理部５０と、を備える。
光源駆動部１７は、記録モードまたは再生モードに合うよう光源を駆動してディスク６０に光が照射されるよう光源(図示せず)を駆動する。
【００１１】
光ピックアップ１１はディスク６０に光を照射し、ディスク６０から反射された光をピックアップする。通常、光ピックアップ１１は複数に分割された光検出器を備え、各光検出器でピックアップされた光に応ずる信号を出力する。
演算部１３は、各光検出器から出力された信号を減算、加算など必要な信号を生成するための演算過程を通してサーボ制御用エラー信号と、ウォブル再生信号、情報再生信号を出力する。
サーボ制御部１５は、サーボ制御用エラー信号、すなわちフォーカスエラー信号とトラックエラー信号からエラーが低減されるよう光ピックアップ１１を制御する。
【００１２】
再生信号処理部２１は、演算部から出力される情報再生信号を設定されたサンプリングレートにサンプリングして生成されたデジタル信号ａを出力する。
ＰＬＬウォブル検出部２３は、演算部１３でディスク６０の曲がりくねる形態に応じて出力したアナログ状のウォブル再生信号についてＰＬＬ(phase loop lock)を行いながら、位相が同期されれば矩形波のＰＬＬ-ウォブル信号ｃを出力する。また、ＰＬＬウォブル検出部２３はＰＬＬ_ウォブル信号の周波数を所定倍数逓倍したクロック信号ｂを生成して出力する。望ましくは、クロック信号はＰＬＬ_ウォブル信号の１８６逓倍された信号として発生される。
【００１３】
システム処理部５０は、信号調整部３０から出力される信号を接続されたホスト(図示せず)、例えばコンピュータに出力し、記録時は信号調整部３０から出力されるプリピットデータのアドレス情報を用いてユーザデータがディスクに記録されるよう光源駆動部１７を制御する。
信号調整部３０は矩形波のＰＬＬ-ウォブル信号と、クロック信号からランドプリピットデータを検出するためのウィンドウを発生させながら、ウィンドウ発生区間中再生信号処理部２１から出力される信号を検出し、検出された信号相互間の連続性を分析して検出されたデータのエラーを補正する。
【００１４】
信号調整部３０の望ましい実施形態による構成を示した図２を参照してさらに詳しく説明する。
図面を参照すれば、信号調整部３０は、ウィンドウ生成部３１、データ検出部３２、データ変換部３５、同期検出部３３、同期保護処理部３４、相関アドレス調整部３６、データ処理部３７を備える。
ウィンドウ生成部３１は、矩形波として出力されるＰＬＬ-ウォブル信号ｃとＰＬＬ-ウォブル信号ｃについて逓倍されたクロック信号ｂを用いて、再生信号処理部２１から出力されるデータのうちプリピットデータを検出するためのウィンドウ信号を生成する。
【００１５】
望ましくは、ウィンドウ生成部３１はＰＬＬ-ウォブル信号ｃの上昇エッジに同期させクロック信号ｂをカウントし、設定されたカウント値に達すればプリピットデータを検出するためのウィンドウ信号を発生させる。単位周期のＰＬＬ-ウォブル信号(以下、ウォブルと表記する)について１８６逓倍されたクロックが発生される場合、クロックカウント値がプリピット記録区間に該当する時、ウィンドウ信号を発生させる。望ましくは、プリピット記録区間に対応したり、これよりやや拡張されるようウィンドウを発生させる。例えば、プリピット記録位置がクロックカウント値１３９に該当する時、カウント値が１３９または１３８ないし１４０の間ウィンドウ信号を発生させる。ウィンドウ幅は単位ビットを記録するために割当てる記録区間を考慮して適切に設定すれば良い。
【００１６】
ＰＬＬ_ウォブル信号とクロック信号を用いてプリピット信号を検出するためのウィンドウ信号の発生を示す例のタイミング図が図３に示されている。
これを参照すれば、ウィンドウ生成部３１のカウンタは、ＰＬＬ-ウォブル信号のエッジにリセットされながらクロックをカウントし、ウォブル周期毎にカウント値が設定された値に達する時ウィンドウが発生される。
ウィンドウの幅ＷＤは、クロック周期の幅またはクロック周期の２倍の幅に発生させることが望ましい。
【００１７】
示した例では、ウィンドウ生成部３１で矩形波ウォブル信号のエッジ毎にリセットさせながらクロックをカウントする。そして、下降エッジに同期させリセットされた後に設定された値Ｃｎに達する時ウィンドウを発生させる。このような方法は最大カウンティングできる値がウォブル周期Ｔ１に該当するクロック数より少ないカウンタを使用するためである。またはウォブル信号の周期に応ずるクロック数以上をカウントできるカウンタを使用して、ウォブルの下降エッジ毎にカウンタをリセットさせながらプリピット記録位置に応ずる区間でウィンドウを発生させるよう構成しうる。
【００１８】
データ検出部３２は、ウィンドウ信号が発生される区間中クロック信号に同期させランドプリピットデータを検出し、検出結果を出力する。
同期検出部３３は、データ検出部３２から出力される信号から同期信号を検出する。ここで、同期信号は複数のビットでコード化された信号を指し、相互区別されるｅｖｅｎ同期信号(ｅｖｅｎ ｓｙｎｃ)とｏｄｄ同期信号(ｏｄｄ ｓｙｎｃ)がある。
プリピット同期信号について図４を参照してさらに詳述する。
図面を参照すれば、内周から外部方向に向かってグルーブとランドが順次に配列されている。
【００１９】
内周から外周方向にトラックに沿って識別領域（ＩＤ領域）上に同期信号を記録する時、隣接されたトラックについて同一な方位上にプリピット同期信号が位置されないよう異種の同期信号(ｅｖｅｎ同期信号及びｏｄｄ同期信号)を用いて記録する。すなわちディスク６０の内周から外周方向にランドとグルーブが反復的に形成されており、ｅｖｅｎ同期信号を一定間隔にトラック方向に沿って形成させる過程において引き続き記入すべきｅｖｅｎ同期位置は、隣接されたトラックに形成されたｅｖｅｎ同期信号と同一な方位の場合に同期信号の配置位置を設定された間隔ほど移動させ、この位置にｏｄｄ同期信号を記録する。斜線で表記した部分はｅｖｅｎ同期信号が記録された部分であって、点線で表記された位置が次のｅｖｅｎ同期信号記録位置に該当する時、以前トラックと方位が同一なので記録位置を矢印方向に１フレーム進んだ位置にｏｄｄ同期信号を記録する。同様に、以前に記録されたｏｄｄ同期信号が次に記録するｏｄｄ同期信号の位置と同一方位の時は、次に記録する位置について１フレーム遅らせた位置上にｅｖｅｎ同期信号を記録する。
【００２０】
ｅｖｅｎ同期信号とｏｄｄ同期信号は、ディスク６０に相異なるビットの組み合わせよりなるコードで表記される。例えば、一つのウォブルについて一つのビット信号を記録し、３個のウォブルに順次に記録された３個のビット信号が一つの同期信号コードになる。
その一例が示された図５を参照すれば、ａ)はｅｖｅｎ同期信号のコードを示したもので、３個のウォブルに１１１ビットと記録されている。ｏｄｄ同期信号はｂ)に示された通り１１０ビットよりなるコードと表記される。図５ｃ）及び図５ｄ）は同期信号以外のプリピットデータ値１をコード１０１と表記した例であり、データ値０をコード１００と表記した例である。
【００２１】
一方、本発明のディスクプレーヤが適用されるディスクの記録方式を見れば、一つのＥＣＣブロックは１６個のセクターよりなり、各セクターは２６個のフレームよりなる。８個のウォブルに記録された信号が一つのフレームをなす。
このようなデータ記録方式についてウォブル信号とデータ構造との関係が図６に示されている。また、図７は１６個のセクターよりなるＥＣＣブロックのデータ構造を示す。
【００２２】
このようなプリピット記録方式でデータが記録されたディスク６０について同期検出部３３はプリピット同期信号を検出する。
同期検出部３３は、ウィンドウ発生区間中データ検出部３２から出力されるデータを分析して検出された同期信号データを出力する。すなわち、同期検出部３３はディスク６０のプリピット同期信号記録区間に該当する３個のウォブルについて検出された３ビットの信号を出力する。
【００２３】
同期保護処理部３４は、同期検出部３３から出力される信号を処理する。例えば、ディスク６０にｅｖｅｎ同期信号が１１１ビットのコードに記録され、ｏｄｄ同期信号が１１０ビットのコードに記録された場合、同期保護処理部３４は同期検出部３３から出力される信号が１１１であるか１１０であるかを判別して同期信号種類を判断する。
また、同期保護処理部３４は、ｅｖｅｎ同期信号が発生された時、次のセクターの開始位置でｅｖｅｎ同期信号３ビットのうちいずれか１ビットでも"１"が検出されるのかを判断する。もし、次のセクターの開始位置でｅｖｅｎ同期信号３ビットのうちいずれか１ビット値が"１"を含めばｅｖｅｎ同期信号と訂正処理する。
【００２４】
一方、次のセクターの開始位置の３ビットのうちいずれか１ビットも"１"が検出されなければ、１フレームもうシフトしてｏｄｄ同期信号を探す。
同様な方式で、以前セクターでｏｄｄ同期信号が発生された時、セクター間隔である２６フレームより１フレーム以前である２５フレームにｅｖｅｎ同期信号があるのかを探す。ｅｖｅｎ同期信号位置で１ビットでも"１"が検出されればｅｖｅｎ同期信号と判断する。一方、この位置で３ビットのデータのうちいずれか一つのビットも"１"が検出されない時は１フレームシフトしてｏｄｄ同期信号を探す。
【００２５】
同期保護処理部３４は、同期検出部３３から出力される同期信号が設定された回数中正常に入力されるかを判断して同期ロックまたはアンロックを決定する。
すなわち、同期保護処理部３４は一例として連続した２個または３個のセクターについて同期信号が正常な検出位置で入力されれば、同期ロック信号を発生させる。
【００２６】
同期保護処理部３４は、同期ロック後に予想される同期信号検出区間毎にデータ検出部３２から出力される信号を同期検出部を通して入力され、入力されたデータについてビットエラー率を考慮した処理を行う。すなわち、同期保護処理部３４は同期ロックされた状態で同期検出部３３から出力される３ビットのコード信号のうちいずれか一つのビットにエラーが発生した時も、これを補正して対応する同期信号と判断処理する。すなわち、同期ロック状態でｅｖｅｎ同期検出時期に入力された３ビットのデータのうちいずれか一つのビットがエラーが発生した時可能なビット組み合わせである０１１、１０１、１１０は１１１ビットであるｅｖｅｎ同期コードと判断する。同様な方式により、同期ロック状態でｏｄｄ同期検出時期に入力された３ビットのデータのうちいずれか一つのビットがエラーが発生した時の可能な組み合わせである０１０、１００、１１１と検出されればｏｄｄ同期コードと判断する。
【００２７】
データ変換部３５は、同期信号発生後、後続して２フレーム間隔に検出された３ビットのデータを、前述した図５ｃ及び図５ｄに示した通り対応する１ビットの値、すなわち０または１に変換して出力する。
データ変換部３５は、同期ロック条件では３個のビットコード１０１と表現されるデータ値１についてもいずれか一つのビットがエラーが発生した時可能なビット組み合わせである００１、１１１、１００は１０１と判断処理する。同様な方式により、同期ロック状態でデータ値０に対応する１００コードのうちいずれか１ビットにエラーが発生した時対応する０００、１１０、１０１を１００と判断処理する。
【００２８】
相関アドレス調整部３６は、同期コード記録領域後に後続する８フレームに記録されたデータについてデータ変換部３５から出力される４ビットのデータからアドレス値を検出する。
相関アドレス調整部３６は、同期ロック信号が入力されれば、次に検出されたアドレス値が連続性を外れれば、連続性を維持するよう補正して出力する。
相関アドレス調整部３６は、同期ロック状態では相関アドレス値が連続性を違反しても順次に増加する連続性を有するよう、すなわち以前相関アドレス値に１を加算したアドレス値を出力する。相関アドレス調整部３６は、同期アンロック時は同期信号が検出される毎にアドレス情報を判読するための内部カウンタをリセットさせる。
【００２９】
相関アドレス調整部３６は、このような過程によりアドレス値を算出して出力する。相関アドレス調整部３６から出力されるアドレス値が現在１５ならば、以降のアドレス値は新たなＥＣＣブロック用になる。
データ処理部３７は、相関アドレス調整部３６から相関アドレス値を入力され、以降のフレームに記録されたデータについて処理する。
データ処理部３７により処理され出力されたデータはエラー訂正を行うエラー訂正部(ＥＣＣ)３８で１６セクター単位に訂正処理されシステム処理部５０に出力される。
【００３０】
このような信号調整部の信号処理過程の例が図８ないし図１１に示されている。
図８は図２の信号処理部３０のｅｖｅｎ同期条件におけるアンロック時信号処理過程の一例を示したタイミング図である。
図面から分かるように、ＰＬＬ_ウォブル信号に同期させ発生したウィンドウ(図示せず)について検出されたランドプリピットＬＰＰデータが３番目フレーム前後で１１０が発生されれば同期保護処理部３４はｏｄｄ ｓｙｎｃを発生させる。この同期信号は現在確信できない信号に該当する。その後２フレームを過ぎて検出されたデータが１１１であり、それによってｅｖｅｎ ｓｙｎｃが発生される。
【００３１】
その後、ｅｖｅｎ ｓｙｎｃ発生位置から２６フレーム進んだｅｖｅｎ ｓｙｎｃ予想位置(Ｐに該当;カウント２の値１２区間に該当)で３ビットのうち一つも"１"が検出されなかった。従って、２７番目フレームでｏｄｄ ｓｙｎｃを探すためのｅｖｅｎ ｓｙｎｃ未検出信号を内部的に発生させ、ｏｄｄ ｓｙｎｃが検出されればｏｄｄ ｓｙｎｃを発生させる。この場合、以前のｅｖｅｎ ｓｙｎｃが正確な値であったことが分かり、それによる処理を行う。
【００３２】
図面において、カウント１の値は２フレーム間隔にカウントし、ｅｖｅｎ ｓｙｎｃ信号発生時は０からカウントを始め、ｏｄｄ同期信号発生時は８からカウンタを開始することを示す。これは、カウント値から同期信号間の間隔を正確に判断するためである。
また、カウント２値は２フレーム毎にカウント値を累積した値に次のセクターの開始を判断するためのものである。
【００３３】
ＬＰＰポジションロック信号は、２フレーム毎に検出されたデータが３回正常に入力されれば、すなわち示されている通り、ｅｖｅｎ同期信号以降にアドレスデータ記録領域に該当するデータが２フレーム間隔に正常に検出される時、内部的に発生させる。
一方、図９は図２の信号処理部のｏｄｄ同期条件におけるアンロック時信号処理過程の一例を示したタイミング図である。
【００３４】
図面を通して分かるように、ＰＬＬ_ウォブル信号に同期させ発生したウィンドウ(図示せず)について検出されたランドプリピットＬＰＰデータが２番目フレームで１１１が発生されれば、同期保護処理部３４はｅｖｅｎ ｓｙｎｃを発生させる。この同期信号は現在確信できない信号に該当する。その後２フレームを過ぎて検出されたデータが１１０であり、それによりｏｄｄ ｓｙｎｃが発生される。
【００３５】
以後、ｏｄｄ ｓｙｎｃ発生位置から２５フレーム進んだｅｖｅｎ ｓｙｎｃ予想位置（Ｓに該当;カウント２の値１２区間に該当）で検出された３ビットのうち"１"を一つ以上含んでいる。従って、２５番目フレームにおいてｅｖｅｎ ｓｙｎｃが開始されることを知らせるｅｖｅｎ ｓｙｎｃ信号を発生させ、新たなセクターの開始に対応するフレームカウントを始める。この際、以前セクターの同期信号のうちｏｄｄ ｓｙｎｃが正確な値であることが分かる。
残りの信号は前述した図８を通して説明したことと同様な方式により行われることを示す。
【００３６】
一方、図１０及び図１１はｅｖｅｎ ｓｙｎｃまたはｏｄｄ ｓｙｎｃが３回連続的に正常発生された時、同期ロック(セクターロック)信号を発生させ、検出された相関アドレスを調整することを示す。
同期ロック後相関アドレス値３以降に検出されたアドレス値は、連続性を維持するように４に調整され、相関アドレス調整部３６から出力される。
【００３７】
以上述べたディスクプレーヤが記録用としてのみ使用される時は、システム処理部５０は同期ロック信号発生後算出されたアドレス値を参照してユーザデータがディスク６０に記録されるよう光源駆動部１７を制御する。
一方、ディスクプレーヤが再生用としてのみ使用される時は、システム処理部５０は同期ロック信号に応じて検出されたデータを訂正して再生処理する。
【００３８】
【発明の効果】
以上述べた通り、本発明に係るディスクプレーヤによれば、同期信号検出をさらに精密にできて、データの記録及び再生エラーを低減させうる。
本発明は前述した特定の望ましい実施形態に限定されず、請求の範囲で請求する本発明の要旨を逸脱せず、当該発明の属する技術分野において通常の知識を持つ者ならば誰でも多様な変形実施形態が可能なことは勿論、そのような変更は記載された請求の範囲内にある。
【図面の簡単な説明】
【図１】  本発明に係るディスクプレーヤを示したブロック図である。
【図２】  図１の信号調整部の構成例を示したブロック図である。
【図３】  ＰＬＬ_ウォブル信号とクロック信号を用いてプリピット信号を検出するためのウィンドウ信号の発生を示すタイミング図である。
【図４】  ディスクのトラックに沿ってプリピット同期信号が記録される方式を説明するためにディスクの一部を示した平面図である。
【図５】  ディスクにコード形態に記録されたｅｖｅｎ同期信号とｏｄｄ同期信号をウォブル信号と関連づけて示した一部拡大波形図である。
【図６】  ウォブルの数と関わるデータ構造を示す図である。
【図７】  単位ＥＣＣブロックをなすデータ構造を示した図である。
【図８】  図２の信号調整部における信号処理過程の一例を説明するためのタイミング図である。
【図９】  図２の信号調整部における信号処理過程の他の例を説明するためのタイミング図である。
【図１０】  図２の信号調整部においてｅｖｅｎ ｓｙｎｃ区間中検出されたアドレス値を調整する過程を示すタイミング図である。
【図１１】  図２の信号調整部においてｏｄｄ ｓｙｎｃ区間中検出されたアドレス値を調整する過程を示すタイミング図である。
【符号の説明】
１３…演算部
１５…サーボ制御部
１７…光源駆動部
２１…再生信号処理部
２３…ＰＬＬウォブル検出部
３０…信号調整部
３２…データ検出部
３１…ウィンドウ生成部
３５…データ変換部
３３…同期検出部
３４…同期保護処理部
３７…データ処理部
３６…相関アドレス調整部
３８…ＥＣＣ
５０…システム処理部
【図１】
0004091299.tif 000002
【図２】
0004091299.tif 000003
【図３】
0004091299.tif 000004
【図４】
0004091299.tif 000005
【図５】
0004091299.tif 000006
【図６】
0004091299.tif 000007
【図７】
0004091299.tif 000008
【図８】
0004091299.tif 000009
【図９】
0004091299.tif 000010
【図１０】
0004091299.tif 000011
【図１１】
0004091299.tif 000012